(57)【要約】【目的】生体情報を用いた認証において、トレードオフの関係にある照合精度の確保と認証時間の短縮化を実現しつつ、利用者の入力操作が簡単な、生体認証用処理装置、生体認証方法、その方法を実行するためのプログラム、およびそのプログラムを記録した記録媒体を提供すること。【構成】データベース４３には、生体情報読取部２１により読み取られた生体画像の登録用テンプレートを登録用電話番号と対応付けて格納する。認証時には、被認証者は生体情報読取部２１に登録部位をさらすと共に認証用電話番号の入力を行う。データベース４３に格納された登録用電話番号内で認証用電話番号に相当するものを１以上検出し、検出された登録用電話番号と関連する登録用テンプレートに絞り込みを行った後に、認証用テンプレートとの照合を行う。【選択図】図１８
2008217257.tif 000002
【特許請求の範囲】
【請求項１】
登録者の所定部位の生体画像を登録用テンプレートとして、複数の登録者の登録用テンプレートを格納する登録用テンプレート格納部と、
前記複数の登録用テンプレートに関連付けて、複数の登録用検索キーを格納する登録用検索キー格納部と、
前記複数の登録用検索キーの中から、入力された認証用検索キーに対応する登録用検索キーを検出する検索処理部と、を有し、
前記検索処理部は、前記認証用検索キーに対して第１の登録用検索キーと、該第１の登録用検索キー以外の第２の登録用検索キーと、を検出することを特徴とする生体認証用処理装置。
【請求項２】
被認証者の所定部位の生体画像である認証用テンプレートと前記登録用テンプレート格納部内の前記登録用テンプレートを照合する照合処理部を有し、
前記照合処理部は、前記認証用テンプレートと、前記検索処理部で検出された前記第１、第２の登録用検索キーに関連付けられた第１、第２の登録用テンプレートのいずれかが、一致するか否かを判断することを特徴とする請求項１に記載の生体認証用処理装置。
【請求項３】
前記認証用検索キーを入力するための入力部と、
前記生体画像を獲得する画像読取部と、
を有することを特徴とする請求項１又は２に記載の生体認証用処理装置。
【請求項４】
前記認証用検索キーは、被認証者の電話番号であることを特徴とする請求項１乃至３のいずれかに記載の生体認証用処理装置。
【請求項５】
登録者の所定部位の生体画像を登録用テンプレートとして、複数の登録者の登録用テンプレートを格納する登録用テンプレート格納部と、
前記複数の登録用テンプレートに関連付けて、前記登録者の電話番号を格納する登録用検索キー格納部と、
前記登録用検索キー格納部に格納された前記複数の電話番号の中から、入力された認証用電話番号を含む第１の電話番号を検出する検索処理部と、を有することを特徴とする生体認証用処理装置。
【請求項６】
被認証者の所定部位の生体画像である認証用テンプレートと前記テンプレート格納部内の前記登録用テンプレートを照合する照合処理部を有し、
前記照合処理部は、前記認証用テンプレートと、前記第１の電話番号に関連付けられた第１の登録用テンプレートとが一致するか否かを判断することを特徴とする請求項５に記載の生体認証用処理装置。
【請求項７】
前記認証用電話番号を入力する入力部と、
前記生体画像を獲得する画像読取部と、
を有することを特徴とする請求項５又は６に記載の生体認証用処理装置。
【請求項８】
被認証者の所定部位の生体画像から認証用テンプレートを作成する認証用テンプレート作成ステップと、
前記被認証者の認証用検索キーを獲得する認証用検索キー獲得ステップと、
複数の登録用検索キーの中から、前記認証用検索キーを含む登録用検索キーを検出する検索ステップと、
前記認証用テンプレートが、前記検索ステップで検出された前記登録用検索キーに関連付けられた前記登録用テンプレートと一致するか否かを判定する照合ステップと、
を有し、
前記検索ステップでは、複数の登録用検索キーを検出し、
前記照合ステップでは、前記認証用テンプレートが、前記検索ステップで検出された前記複数の登録用検索キーに関連付けられた複数の登録用テンプレート中のいずれかと一致するか否かを判定することを特徴とする生体認証方法。
【請求項９】
前記認証用検索キーは、前記被認証者の電話番号であることを特徴とする請求項８に記載の生体認証方法。
【請求項１０】
被認証者の所定部位の生体画像から認証用テンプレートを作成する認証用テンプレート作成ステップと、
前記被認証者の認証用検索キーを獲得する認証用検索キー獲得ステップと、
複数の登録用検索キーの中から、前記認証用検索キーを含む登録用検索キーを検出する検索ステップと、
前記認証用テンプレートが、前記検索ステップで検出された前記登録用検索キーに関連付けられた前記登録用テンプレートと一致するか否か判定する照合ステップと、
を有し、
前記認証用検索キーは、前記被認証者の電話番号であることを特徴とする生体認証方法。
【請求項１１】
登録処理ステップと、認証処理ステップと、を有する生体認証方法において、
前記登録処理ステップは、
登録者の所定部位の生体画像から登録用テンプレートを作成する登録用テンプレート作成ステップと、
前記登録者の登録用検索キーを獲得する登録用検索キー獲得ステップと、
前記登録用テンプレートと前記登録用検索キーを関連付けて記録部に格納する登録データ格納ステップと、
を有し、
前記認証処理ステップは、
被認証者の所定部位の生体画像から認証用テンプレートを作成する認証用テンプレート作成ステップと、
前記被認証者の認証用検索キーを獲得する認証用検索キー獲得ステップと、
前記登録用検索キーの中から、前記認証用検索キーを含む登録用検索キーを検出する検索ステップと、
前記認証用テンプレートが、前記検索ステップで検出された前記登録用検索キーに関連付けられた前記登録用テンプレートと一致するか否かを判定する照合ステップと、
を有し、
前記検索ステップでは、複数の登録用検索キーが検出され、
前記照合ステップでは、前記認証用テンプレートが、前記複数の登録用検索キーに関連付けられた複数の登録用テンプレート中のいずれかに一致するか否か判定することを特徴とする生体認証方法。
【請求項１２】
前記登録用検索キーは、前記登録者の電話番号であり、
前記認証用検索キーは、前記被認証者の電話番号であることを特徴とする請求項１１に記載の生体認証方法。
【請求項１３】
登録処理ステップと、認証処理ステップと、を有する生体認証方法において、
前記登録処理ステップは、
登録者の所定部位の生体画像から登録用テンプレートを作成する登録用テンプレート作成ステップと、
前記登録者の登録用電話番号を獲得する登録用電話番号獲得ステップと、
前記登録用テンプレートと前記登録用電話番号を関連付けて記録部に格納する登録データ格納ステップと、
を有し、
前記認証処理ステップは、
被認証者の所定部位の生体画像から認証用テンプレートを作成する認証用テンプレート作成ステップと、
前記被認証者の認証用電話番号を獲得する認証用電話番号獲得ステップと、
前記登録用電話番号の中から、前記認証用電話番号を含む登録用電話番号を検出する検索ステップと、
前記認証用テンプレートが、前記検索ステップで検出された前記登録用電話番号に関連付けられた前記登録用テンプレートと一致するか否かを決定する照合ステップと、
を有することを特徴とする生体認証方法。
【請求項１４】
前記請求項８乃至請求項１３のいずれか一項に記載の生体認証方法を装置に実行させるためのプログラム。
【請求項１５】
前記請求項１４に記載のプログラムを記録した記録媒体。
【発明の詳細な説明】
【技術分野】
【０００１】
本発明は、生体情報を用いた処理装置、生体認証方法、その方法を装置に実行させるためのプログラム、およびそのプログラムを記録した記録媒体に関し、特に、生体情報の認証を迅速に行うために、予め登録された複数の登録生体情報の中から、被認証者の生体情報と照合する候補を絞り込み、絞り込んだ登録生体情報と被認証者の生体情報との照合を行う生体認証処理等に関する。
【背景技術】
【０００２】
従来、金融機関での口座利用サービスや、各種商業施設での商品購入代金の支払いを先送りするクレジットサービスを提供する場合に、そのサービス提供者（団体、企業）がそのサービス利用者の認証を迅速に行う手段としてキャッシュカードやクレジットカード等が広く利用されており、そのセキュリティ強化のためにそれらにＩＣチップを埋め込んだＩＣカードも利用されている。カードの利用方法はそれらに留まらない。例えば、各種商業施設での商品購買実績をポイントで示し、累積ポイント数に相当する特典（割引、景品交換、チケットの優待販売等）を利用者に提供するにあたり、係る累積ポイント数の記録手段として所謂ポイントカードが利用され、病院、役所、空港（税関）、警察署等の公共施設や商業レンタル事業施設等での個人特定手段として所謂登録カード、パスポート、運転免許証等が利用され、事前に金額に応ずる対価を得て発行し、係る金額内で商品購入や電話、鉄道、パチンコ等の利用を可能とする前払式証票、所謂プリペードカードが利用されている。
【０００３】
上記のように個人が生活する上で受けうる広範なサービスに対し、サービス提供者毎にカードが発行されることから、個人が所有するカード枚数は否が応でも多くなっている。そのため、サービス利用者にとっては、却ってその多くのカードの携帯にスペースを要することから不便を感じたり、カード提示時に多くのカードから適切なものを選択するのに手間取る等の不便を感じるまでに至っており、カード無しに上記した各種サービスを受けられる手段が望まれている。
【０００４】
個人の認証のためのカードを不要とする手段として、使用者の指紋を認証に用いる技術が開示されている（例えば、特許文献１）。具体的には、サービスを受ける顧客の指紋画像とその特徴とをネットワークに接続された処理装置のデータベースに予め登録しておき、物品の貸出又は販売の際に検出した指紋画像と予め登録されている指紋画像とが一致するか否かを指紋の特徴に基づいて検索し、一致した場合に顧客の認証を行うことで、カードの使用を不要としている。
【０００５】
しかしながら、指紋認証においてデータベースに予め登録されている指紋画像が多数ある場合には１：Ｎ照合を行うこととなり、認証時間が長くかかることが問題となっている。特に、セキュリティを確保する観点から高い照合精度を確保するためには、所定大きさの指紋画像をより精細な画像処理により多くの特徴部分の抽出、照合が必要となり、より一層照合時間が長くなる。更に、国際的に利用者が増えれば増える程に認証時間が長くなってしまう。
【０００６】
人物照合の照合時間を短くする手段として、複写機に対して操作者毎に割り振られたＩＤを指紋画像と対応付けて記憶手段に記憶し、操作者が複写機を使用する際に、指紋の入力と共にＩＤを入力し、係るＩＤに対応する指紋画像データを検索取得し、１：１照合により一致するか否かを判別する技術が開示されている（例えば、特許文献２の背景技術の欄）。
【０００７】
しかしながら、サービス提供者からサービス利用者に対して割り当てられるＩＤをキーとして用いる１：１照合では、サービス利用者はＩＤを覚えたり、ＩＤをメモしたものを常に携帯するなどが必要となり利用者の負担増となる。例えば、多くのクレジット会社の発行するクレジットカードのＩＤ番号は、会員数の増加を考慮し、例えば、カード会員番号１６桁前後が使用されており、この１６桁前後のＩＤ番号をそのままデータベースに登録する指紋画像に付与した場合には、ＩＤを覚えることは難しくメモを見ながらＩＤ番号を入力することとなり、認証を実行する前段階で時間がかかり、誤入力の可能性も高まり、利便性を欠くものとなる。特に、本来であればカードレスの恩恵を期待する高齢者にとっては使い難いものとなる。
【０００８】
上記課題のある認証時のＩＤ入力を極力減らした複写機の指紋照合手段として、指紋画像をデータベースに格納するにあたり、複写機をよく使う少数の利用者の指紋画像を格納する第１のデータ群と、それ以外の多数の利用者の指紋画像を格納する第２の画像データ群に別けて格納し、指紋画像の照合時には、始めに一致の可能性の高い第１のデータ群に関しては１：Ｎ照合を実施し、一致しない場合にＩＤ入力を利用者に要求し、ＩＤに対応した第２のデータ群中の画像との１：１照合を実施する技術が開示されている（例えば、特許文献２）。
【特許文献１】特開２００４−１５７８２１号公報
【特許文献２】特開２００６−２０２２０７号公報（段落［０００４］−［０００６］、［００５６］）
【発明の開示】
【発明が解決しようとする課題】
【０００９】
しかしながら、始めに指紋画像の１：Ｎ照合を実施し、一致しない場合に１：１照合を実施する手段を不特定多数の利用者が利用する場合には、使用頻度に基づく第１、第２のデータ群の区別は困難で、また、第２のデータ群中の画像数も不特定多数となるためにＩＤの桁数も多く必要となり、結果として上記したＩＤを用いた１：１照合の問題は依然として解決することはできない。
【００１０】
本発明は、前記の問題点を解消するためになされたものであって、生体情報を用いた認証において、トレードオフの関係にある照合精度の確保と認証時間の短縮化を実現しつつ、利用者の入力操作が簡単な、生体認証用処理装置、生体認証方法、その方法を装置に実行させるためのプログラム、およびそのプログラムを記録した記録媒体の提供を目的とする。
【課題を解決するための手段】
【００１１】
本発明は、上記の目的を達成するため以下の構成を有する。
本発明の第１の要旨は、登録者の所定部位の生体画像を登録用テンプレートとして、複数の登録者の登録用テンプレートを格納する登録用テンプレート格納部と、前記複数の登録用テンプレートに関連付けて、複数の登録用検索キーを格納する登録用検索キー格納部と、前記複数の登録用検索キーの中から、入力された認証用検索キーに対応する登録用検索キーを検出する検索処理部と、を有し、前記検索処理部は、前記認証用検索キーに対して第１の登録用検索キーと、該第１の登録用検索キー以外の第２の登録用検索キーと、を検出することを特徴とする生体認証用処理装置にある。
【００１２】
本発明の第２の要旨は、被認証者の所定部位の生体画像である認証用テンプレートと前記登録用テンプレート格納部内の前記登録用テンプレートを照合する照合処理部を有し、前記照合処理部は、前記認証用テンプレートと、前記検索処理部で検出された前記第１、第２の登録用検索キーに関連付けられた第１、第２の登録用テンプレートのいずれかが、一致するか否かを判断することを特徴とする要旨１に記載の生体認証用処理装置にある。
【００１３】
本発明の第３の要旨は、前記認証用検索キーを入力するための入力部と、前記生体画像を獲得する画像読取部と、を有することを特徴とする要旨１又は２に記載の生体認証用処理装置にある。
【００１４】
本発明の第４の要旨は、前記認証用検索キーは、被認証者の電話番号であることを特徴とする要旨１乃至３のいずれかに記載の生体認証用処理装置にある。
【００１５】
本発明の第５の要旨は、登録者の所定部位の生体画像を登録用テンプレートとして、複数の登録者の登録用テンプレートを格納する登録用テンプレート格納部と、前記複数の登録用テンプレートに関連付けて、前記登録者の電話番号を格納する登録用検索キー格納部と、前記登録用検索キー格納部に格納された前記複数の電話番号の中から、入力された認証用電話番号を含む第１の電話番号を検出する検索処理部と、を有する生体認証用処理装置にある。
【００１６】
本発明の第６の要旨は、被認証者の所定部位の生体画像である認証用テンプレートと前記テンプレート格納部内の前記登録用テンプレートを照合する照合処理部を有し、前記照合処理部は、前記認証用テンプレートと、前記第１の電話番号に関連付けられた第１の登録用テンプレートとが一致するか否かを判断することを特徴とする要旨５に記載の生体認証用処理装置にある。
【００１７】
本発明の第７の要旨は、前記認証用電話番号を入力する入力部と、前記生体画像を獲得する画像読取部と、を有することを特徴とする要旨５又は６に記載の生体認証用処理装置にある。
【００１８】
本発明の第８の要旨は、被認証者の所定部位の生体画像から認証用テンプレートを作成する認証用テンプレート作成ステップと、前記被認証者の認証用検索キーを獲得する認証用検索キー獲得ステップと、複数の登録用検索キーの中から、前記認証用検索キーを含む登録用検索キーを検出する検索ステップと、前記認証用テンプレートが、前記検索ステップで検出された前記登録用検索キーに関連付けられた前記登録用テンプレートと一致するか否かを判定する照合ステップと、を有し、前記検索ステップでは、複数の登録用検索キーを検出し、前記照合ステップでは、前記認証用テンプレートが、前記検索ステップで検出された前記複数の登録用検索キーに関連付けられた複数の登録用テンプレート中のいずれかと一致するか否かを判定することを特徴とする生体認証方法にある。
【００１９】
本発明の第９の要旨は、前記認証用検索キーは、前記被認証者の電話番号であることを特徴とする要旨８に記載の生体認証方法にある。
【００２０】
本発明の第１０の要旨は、被認証者の所定部位の生体画像から認証用テンプレートを作成する認証用テンプレート作成ステップと、前記被認証者の認証用検索キーを獲得する認証用検索キー獲得ステップと、複数の登録用検索キーの中から、前記認証用検索キーを含む登録用検索キーを検出する検索ステップと、前記認証用テンプレートが、前記検索ステップで検出された前記登録用検索キーに関連付けられた前記登録用テンプレートと一致するか否か判定する照合ステップと、を有し、前記認証用検索キーは、前記被認証者の電話番号であることを特徴とする生体認証方法にある。
【００２１】
本発明の第１１の要旨は、登録処理ステップと、認証処理ステップと、を有する生体認証方法において、前記登録処理ステップは、登録者の所定部位の生体画像から登録用テンプレートを作成する登録用テンプレート作成ステップと、前記登録者の登録用検索キーを獲得する登録用検索キー獲得ステップと、前記登録用テンプレートと前記登録用検索キーを関連付けて記録部に格納する登録データ格納ステップと、を有し、前記認証処理ステップは、被認証者の所定部位の生体画像から認証用テンプレートを作成する認証用テンプレート作成ステップと、前記被認証者の認証用検索キーを獲得する認証用検索キー獲得ステップと、前記登録用検索キーの中から、前記認証用検索キーを含む登録用検索キーを検出する検索ステップと、前記認証用テンプレートが、前記検索ステップで検出された前記登録用検索キーに関連付けられた前記登録用テンプレートと一致するか否かを判定する照合ステップと、を有し、前記検索ステップでは、複数の登録用検索キーが検出され、前記照合ステップでは、前記認証用テンプレートが、前記複数の登録用検索キーに関連付けられた複数の登録用テンプレート中のいずれかに一致するか否か判定することを特徴とする生体認証方法にある。
【００２２】
本発明の第１２の要旨は、前記登録用検索キーは、前記登録者の電話番号であり、前記認証用検索キーは、前記被認証者の電話番号であることを特徴とする要旨１１に記載の生体認証方法にある。
【００２３】
本発明の第１３の要旨は、登録処理ステップと、認証処理ステップと、を有する生体認証方法において、前記登録処理ステップは、登録者の所定部位の生体画像から登録用テンプレートを作成する登録用テンプレート作成ステップと、前記登録者の登録用電話番号を獲得する登録用電話番号獲得ステップと、前記登録用テンプレートと前記登録用電話番号を関連付けて記録部に格納する登録データ格納ステップと、を有し、前記認証処理ステップは、被認証者の所定部位の生体画像から認証用テンプレートを作成する認証用テンプレート作成ステップと、前記被認証者の認証用電話番号を獲得する認証用電話番号獲得ステップと、前記登録用電話番号の中から、前記認証用電話番号を含む登録用電話番号を検出する検索ステップと、前記認証用テンプレートが、前記検索ステップで検出された前記登録用電話番号に関連付けられた前記登録用テンプレートと一致するか否かを決定する照合ステップと、を有することを特徴とする生体認証方法にある。
【００２４】
本発明の第１４の要旨は、前記要旨８乃至要旨１３のいずれか一項に記載の生体認証方法を装置に実行させるためのプログラムにある。
【００２５】
本発明の第１５の要旨は、前記要旨１４に記載のプログラムを記録した記録媒体にある。
【発明の効果】
【００２６】
本発明の第１〜４の要旨によれば、複数の登録用検索キーの中から認証用検索キーにより第１、第２の登録用検索キーを絞り込むことで、生体認証時に用いる登録用テンプレートを第１、第２の登録用検索キーに対応する第１、第２の登録用テンプレートに絞り込める。従って、登録用テンプレート格納部に格納される登録用テンプレートの登録数が多い場合であっても、絞り込まれた第１、第２の登録用テンプレートを用いて認証を行うことで、全ての登録用テンプレートを用いて認証を行う場合に比べて、格段に認証時間を短縮できる。
【００２７】
更に、要旨１の構成によれば、生体認証用処理装置において認証用検索キーに対応する第１、第２の登録用テンプレートの絞り込みまでを行い、処理負担の大きい第１、第２の登録用テンプレートと認証用テンプレートの照合処理を他の装置で行う構成とできる。係る構成によれば、単位時間当たりの認証処理が多い場合でも、処理負担の大きい照合処理は他の装置で行えるために、生体認証用処理装置の認証時の処理負担を軽減することができ、生体認証用処理装置のオーバーフローを回避できる。
【００２８】
特に、例えば、インターネットを介した非対面での認証処理は、場所と時間に関してボーダレスでの利用が可能なために、単位時間当たりの被認証者数が極端に増える場合もありうるが、係る場合にもオーバーフローを起こさず、多くの認証処理ニーズに対応できる。
【００２９】
また、第２の要旨の場合には、被認証者が認証に用いる認証装置に照合結果を提供できるため、認証装置をコンパクト化できる。言い換えると、コンパクトな装置を認証端末装置とすることができる。例えば、携帯端末や携帯電話などのコンパクトな携帯装置でも認証処理を行うことができ、例えば、インターネットを介した非対面での認証も簡単な装置にて実現できる。
【００３０】
第３の要旨の場合には、第１、第２の登録用テンプレートを転送する必要がなく、認証時間を短縮できる。
【００３１】
本発明の第４の要旨によれば、電話番号は比較的長い番号でありながらメモを取るまでもなく暗記されており、且つ、重複する場合が少ないため、効果的に登録用検索キーの絞り込み、すなわち、登録用テンプレートの絞り込みができ、認証時間の短縮化を簡単な方法で実現できる。
【００３２】
本発明の第５、６の要旨によれば、検索処理部で認証用電話番号を含む第１の電話番号を検出することで、認証に用いる登録用テンプレートを係る第１の電話番号を基に検出できる。従って、登録用テンプレート格納部に格納される登録用テンプレートの登録数が多い場合であっても、認証に用いる登録用テンプレートを絞り込めるために、全ての登録用テンプレートを用いて認証を行う場合に比べて、格段に認証時間を短縮できる。
【００３３】
電話番号は比較的長い番号でありながらメモを取るまでもなく暗記されており、且つ、重複する場合が少ないため、効果的に登録用検索キーの絞り込み、すなわち、登録用テンプレートの絞り込みができ、認証時間の短縮化を簡単な方法で実現できる。
【００３４】
更に、本発明の第５の要旨によれば、生体認証用処理装置において認証に用いる登録用テンプレートの絞り込までを行い、処理負担の大きい登録用テンプレートと認証用テンプレートの照合処理を他の装置で行う構成とできる。係る構成によれば、単位時間当たりの認証処理が多い場合でも、処理負担の大きい照合処理は他の装置で行えるために、生体認証用処理装置の認証時の処理負担を軽減することができ、生体認証用処理装置のオーバーフローを回避できる。
【００３５】
特に、オンライン処理端末を用いた認証処理は、場所と時間に関してボーダレスでの利用が可能なために、単位時間当たりの被認証者数が極端に増える場合もあり、係る場合にもオーバーフローを起こさず、多くの認証処理ニーズに対応できる。
【００３６】
また、第６の要旨の場合によれば、被認証者が認証に用いる認証装置に照合結果を提供できるため、認証装置をコンパクト化できる。言い換えると、コンパクトな装置を認証端末装置とすることができる。例えば、携帯端末や携帯電話などのコンパクトな携帯装置でも認証処理を行うことができ、例えば、インターネットを介した非対面での認証も簡単な装置にて実現できる。
【００３７】
また、第７の要旨の場合には、第１、第２の登録用テンプレートを転送する必要がなく、認証時間を短縮できる。
【００３８】
本発明の第８、１１の要旨によれば、検索ステップにおいて認証用検索キーにより複数の登録用検索キーを絞り込むことで、照合ステップに用いる登録用テンプレートも絞り込める。従って、登録用テンプレートの登録数が多い場合であっても、認証時には絞り込んだ登録用テンプレートとの照合を行うだけでよく、全ての登録用テンプレートを用いた認証を行う場合に比べて、格段に認証時間を短縮できる。
【００３９】
本発明の第９、１０、１２、１３の要旨によれば、認証用検索キーに電話番号を用いることで、メモを見ながらの認証処理を必要とせず、且つ、重複する場合が少ないため、効果的に登録用検索キーの絞り込み、すなわち、登録用テンプレートの絞り込みができ、認証時間の短縮化を簡単な方法で実現できる。
【００４０】
本発明の第１４、１５の要旨によれば、係るプログラム、記録媒体を用いて、種々の装置での実行を簡単に行うことができる。
【発明を実施するための最良の形態】
【００４１】
［第１の実施形態］
以下、本発明の生体情報を用いた認証システムＡの第１の実施形態を図１から図１６を参照しつつ説明する。
【００４２】
図１は、本実施形態に係る生体情報を用いた認証端末装置３ａを利用する認証処理システムＡの概略構成図である。
【００４３】
認証処理システムＡは、認証端末装置３ａを有する各種処理端末２ａ〜２ｆと、データ記録処理装置５を有する代金立替会社５Ａや認証用サーバ５Ｂと、認証端末装置３ａを有する金融機関７と、オンライン店舗９Ａと、公共団体ホームページ９Ｂとが、通信ネットワーク１に接続され、通信ネットワーク１を介して互いにデータの送受信可能に構成されている。
【００４４】
（データ通信ネットワーク１）
データ通信ネットワーク１は、代金立替会社５、金融機関７、オンライン店舗９Ｂ、公共団体ホームページ９Ｂとのデータ通信が可能であればよく、有線および又は無線を用いる公衆回線網を用いることができる。例えば、インターネットや無線通信、それらの組み合わせを用いることができる。
【００４５】
（オンライン商業店舗９Ａ）
オンライン商業店舗９Ａは、オンライン上で商取引を行う店舗であり、業種を問わず、提供する商品やサービスも限定するものではない。例えば、提供する商品やサービスは、有体物やデータ（テレビや映画等の動画像データ、写真等の静止画データ、プログラムデータ等）の無体物等を含むものであり、商取引の対象となり得るものであればよい。
【００４６】
（公共団体ホームページ９Ｂ）
公共団体ホームページ９Ｂは、有償、無償を問わず、個人データ、公共データ、認証書類（パスポートや住民票等）等の検索、閲覧、提供等のサービスを提供するホームページである。
【００４７】
（処理端末３ａ〜３ｆ）
認証端末装置３ａを有する各種端末は、有償、無償のサービスに関わらず、利用者のサービスの提供にあたり認証を要する端末である。本実施形態では一例としてオンライン処理、対面式決済処理、プリペイド決済処理、ポイント処理、個人特定処理、及び金融機関の口座利用処理を行う各種端末２ａ〜２ｆを、以下に説明する。
【００４８】
（オンライン処理端末２ａ）
オンライン処理端末２ａは、通信ネットワーク１を介したオンライン商業店舗９Ａや公共団体ホームページ９Ｂでの商品購入、サービス提供等に対する代金の決済に対するオンライン決済処理や、該オンライン決裁処理に対するポイント処理や、公共団体ホームページ９Ｂ上での情報処理等（以下、「オンライン処理」という）を行う端末であり、オンライン処理の実行前に前記生体認証を行い、オンライン処理の実行の受理／否定を決定する。
【００４９】
オンライン決済処理には、クレジット決済処理、即時決済処理、プリペイド決済処理等を含む。
【００５０】
クレジット決済処理では、例えば、オンライン商業店舗９Ａの商業主と代金立替会社５Ａ間の契約により決定されているサービス料を利用者代金から差し引いた立替代金を代金立替会社５Ａからオンライン商業店舗９Ａ（商業主）に立て替え払いされ、先送り期間後に金融機関７の利用者口座から利用者代金が引き落とされて代金立替会社５Ａに振り込まれる。
【００５１】
即時決済処理では、例えば、利用者代金あるいはサービス料を利用者代金から差し引いた立替代金が金融機関７の利用者口座から引き落とされてオンライン商業店舗９Ａ（商業主）に振り込まれる。
【００５２】
プリペイド決済処理は、事前に金額に応ずる対価を支払っておき、係る金額内でオンライン商品購入、サービスを受ける場合等の利用代金の決済処理である。
【００５３】
オンラインポイント処理は、オンライン処理実績（有料、無料を含む）に伴う処理であり、例えば、前記オンライン決済での商品購入金額等に対応するポイントの加算処理や、累積ポイント数に相当する特典（割引、景品交換、チケットの優待販売等）の利用者への提供処理に伴うポイント減算処理等（以下、「ポイント処理」という）を含む。
【００５４】
公共組織ホームページ９Ｂ上での情報処理には、個人情報や公共情報等の検索、開示処理や、認証書類（パスポート、住民票等）発行処理を含む。公共組織は、限定するものではなく、例えば、国、地方公共団体、学校、病院、警察、公証役場、ＮＧＯ等を含む。
【００５５】
オンライン処理端末２ａは、通信ネットワーク１を介したオンライン商業店舗９等での商品購入や、公共組織ホームページ９Ｂでの情報検索、開示処理等が可能な装置であればよく、例えば、パーソナルコンピュータ(携帯端末を含む)（図２、４、５）、携帯電話（図１９）、テレビ（図２０）等により構成でき、有償無償にかかわらず所定時間レンタルされた端末装置を含み、利用者個人が所定期間使用可能な端末装置であればよい。尚、本実施形態では、前記オンライン決済を非対面決済と言う場合がある。
【００５６】
前記オンライン決済処理とオンラインポイント処理は、組み合わせて処理することもでき、その場合に共通のデータ記録処理装置５を使用しても、別個のデータ記録処理装置５を使用しても良い。
【００５７】
（決済処理端末２ｂ）
決済処理端末２ｂは、商業施設３Ａでの商品購入代金や施設利用代金等の決済（サービス提供者側とサービス利用者が対面しての決済：対面決済）を先送りするクレジット決済処理や金融機関７の口座からの即時決済処理を可能とする端末装置であり、上記決済処理の実行前に前記生体認証を行い、該決済処理の実行の受理／否定を決定する。尚、本実施形態では、サービス提供者側（人、装置）とサービス利用者が対面して決済を行う場合を対面決済と言う場合がある。
【００５８】
前記クレジット決済処理では、例えば、商業施設３Ａと代金立替会社５Ａ間の契約により決定されているサービス料を利用者代金から差し引いた立替代金を代金立替会社９から商業施設３Ａに立て替え払いされ、先送り期間後に金融機関７の利用者口座から利用者代金が引き落とされて代金立替会社５Ａに振り込まれる。前記即時決済処理では、例えば、利用者代金あるいはサービス料を利用者代金から差し引いた立替代金が金融機関７の利用者口座から引き落とされて商業施設３Ａに振り込まれる。
【００５９】
（プリペイド決済処理端末２ｃ）
プリペイド決済処理端末２ｃは、事前に金額に応ずる対価を支払っておき、係る金額内で商品購入や装置、施設の利用代金の決済を行う端末装置であり、例えば、商品購入決済や、電話、交通機関（鉄道、バス、航空機等）、施設、遊技機（パチンコ、スロットマシーン、ゲーム機、遊園地の遊技装置等）等の利用の決済前に、前記生体認証を行い、該プリペイド決済処理の実行の受理／否定を決定する。
【００６０】
プリペイド処理端末２ｃは、サービス提供場所に置くことが望ましく、例えば、店舗の料金支払い場所、電話機（固定電話や携帯電話）内又は併設したり、交通機関施設、遊技機等の利用料金支払機器内又は併設して設けられる。
【００６１】
（ポイント処理端末２ｄ）
ポイント処理端末２ｄは、前記各種決済（オンライン決済、対面決済、ポイント決済等）や、各種商業施設等での現金での商品購入や施設利用実績（有料、無料を含む）をポイントで示し、ポイント加算処理や、累積ポイント数に相当する特典（割引、景品交換、チケットの優待販売等）の利用者への特典提供処理に伴うポイント減算処理等（以下、「ポイント処理」という）に用いる端末装置であり、例えば、決済の前又は後に、前記生体認証を行い、該ポイントサービス処理の実行の受理／否定を決定する。
【００６２】
（個人特定処理端末２ｅ）
個人特定処理端末２ｅは、病院、役所、空港（税関）、警察署等の公共施設や商業施設等に設けられる個人を特定するための端末装置であり、例えば、病院での診療、投薬処理や、役所での書類提供処理や、空港での出入国許可処理や、施設利用処理や、物品貸出処理（以下、「サービス提供処理」という）前に、前記生体認証を行い、該サービス提供処理の実行の受理／拒否を決定する。
【００６３】
（金融機関口座利用処理端末２ｆ）
金融機関口座利用処理端末２ｆは、銀行や郵便局などの金融機関７の口座を利用するために用いる端末装置であり、預金の預け入れ、引き出し等の口座利用処理の実行前に前記生体認証を行い、該口座利用処理の実行の受理／否定を決定する。金融機関口座利用処理端末２ｆは、金融機関７に設けても、単独で設けても良い。
【００６４】
前記処理端末２ｂ〜２ｆでの処理は、組み合わせて処理することもでき、その場合に共通のデータ記録処理装置５を使用しても、別個のデータ記録処理装置５を使用しても良い。例えば、決済処理端末２ｂとプリペイド処理端末２ｃは、決済代金に対してポイント処理を行うことができる。係る構成により、前記生体認証の受理後に各種決済処理とポイント処理の実行を並行処理できる。
【００６５】
（認証端末装置３ａ）
以下、認証端末装置３ａについて、オンライン処理端末２ａを例に説明する。図２はオンライン処理端末２ａとしてのパーソナルコンピュータの概略外観図を示し、図３はオンライン処理端末２ａの認証端末装置３ａの概略ブロック図を示している。
【００６６】
図３に示すように認証端末装置３ａは、制御部１１、ＲＯＭ１３、ＲＡＭ１５、表示部１７、入力部１９、記録部２１、生体情報獲得部２３、画像処理部２５、メイン機能処理部３１、通信処理部３３、及び、照合処理部４７と、を有している。
【００６７】
制御部１１は、認証端末装置３ａ内の前記各部を電気的に制御する。ＲＯＭ１３は、生体情報の登録及び照合時に用いるプログラムを記録している。ＲＡＭ１５は、前記生体情報の登録及び照合の実行時にＲＯＭ９内の対応するプログラムを読み出し格納し、制御部１１のワークエリアとして機能する。尚、プログラムの記録、実行はＲＯＭ１３、ＲＡＭ１５に限定するものではなく、ハードディスク等を用いてもよい。
【００６８】
表示部１７（図２、３）は、登録者が生体情報の登録時や認証時に必要とする情報の表示部であり、その表示形式等を限定するものではなく、例えば、本実施形態では液晶表示部を用いている。登録時と認証時に表示部１７に表示する画面については、後述する。
【００６９】
入力部１９（図２、３）は、ユーザが登録時や認証時に必要な情報の入力に用いる入力部である。例えば、キーボードＫやマウスＭ（図２）、タッチ式パネル式入力部等を用いることができる。
【００７０】
生体情報読取部２１（図２、３）は、生体情報を画像として読取可能な装置である。画像として読取可能な生体情報としては、例えば、静脈、指紋、掌形、顔、虹彩などを用いることができる。本実施形態では、セキュリティの高さと使い易さを考慮して静脈を用いているが、それに限定するものではなく、２以上の生体情報の組み合わせを用いてもよい。
【００７１】
生体情報読取部２１にて読み取る部位は、本実施形態では読み取り易さを考慮して指を用いるが、手の甲、手のひら等を用いることができ、読取部位を限定するものではない。
【００７２】
生体情報読取部２１は、近赤外光源とイメージセンサとを有する。静脈を流れる還元ヘモグロビンが近赤外光領域（約７６０ｎｍ）の波長の光を吸収する性質を利用し、生体情報読取部２１は近赤外光源より指に近赤外光をあて、光を多く吸収する静脈部分が暗く映りその画像をイメージセンサで読み取り、電気信号に変換する。イメージセンサとしては、例えば、ＣＣＤ（Charge Coupled Device）イメージセンサを用いている。尚、静脈画像読取方法は上記構成に限定するものではなく、静脈のパターンを読み取れればどのような方法、手段でもよい。例えば、本発明は近赤外光を利用する手段に限定するものではなく、読み取り部位に照射した光の反射光を読み取る方式等を使用してもよい。また、生体情報読取部２１は、読み取る部位を生体情報読取部２１に接触させる接触方式や生体情報読取部２１に接触させずに読み取る非接触式のいずれの構成でも良い。尚、生体情報読取部２１は、正確に静脈形状を獲得するために複数回の読み取りを実行してもよい。
【００７３】
図２に示す生体情報読取部２１は、パーソナルコンピュータ本体と別体で構成しているが、図４に示すようにパーソナルコンピュータ本体に一体的に構成してもよい。また、生体情報読取部２１は、パーソナルコンピュータ本体に接続して使用する機器に組み込む構成でもよく、図５はマウスＭに生体情報読取部２１を組み込んだパーソナルコンピュータを示している。また、図４、５のパーソナルコンピュータは、本体に表示部１７と入力部１９（キーボードＫ）が一体的に構成されているが、係る構成に限定されず、本体、表示部１７、入力部１９が別体に構成されてもよく、係る場合にも、生体情報読取部２１を本体、表示部１７、及び／又は、入力部に生体情報読取部２１を組み込むことができる。
【００７４】
また、生体情報読取部２１は、複数目的の認証に用いることができる。例えば、パーソナルコンピュータを使用するための認証（第１の用途）とオンラインショッピングでの決済等での認証（第２の用途）に利用できる。
【００７５】
情報記録部２３は、入力部１９等から入力された個人情報や、生体情報読取部２１で読み取られた静脈画像等の格納に用いるメモリである。
【００７６】
画像処理部２５は、生体情報読取部２１により読み取られた画像から静脈の形状やパターン（以下、「テンプレート」という）を画像処理により抽出する。尚、テンプレートとしては、読み取り画像に対して画像処理を加えたものに限らず、読み取り画像自体でもよい。
【００７７】
通信処理部２７は、生体情報の登録時及び認証時に、通信ネットワーク１を介してデータ記録処理装置５、金融機関７、オンライン店舗９等との間で情報の送受信を行う。
【００７８】
照合処理部２９は、予め登録された登録用テンプレートと認証用テンプレートとを画像処理による照合を実施し、所定領域の所定閾値以上の一致や完全一致、或いは、特徴部位の所定閾値以上の一致や完全一致等、任意の照合判断基準に基づき、照合の一致／不一致判断を行う。
【００７９】
メイン機能処理部３１は、照合処理部２９での照合の一致、すなわち、認証の受理を条件にオンライン処理（決済処理、情報検索処理、情報開示処理等）を実行する処理部である。
【００８０】
（登録画面３３）
図６は、ユーザの静脈データの登録時に表示部１７に表示する登録画面３３の一例を示している。登録画面３３は、個人情報入力欄３３Ａと、指静脈登録欄３３Ｂ、指示入力キー欄３３Ｃとを有している。
【００８１】
個人情報入力欄３３Ａは、登録者の氏名、住所、電話番号、金融機関の口座、暗証番号を入力するための、氏名欄３３ａ、住所欄３３ｂ、電話番号欄３３ｃ、口座欄３３ｄ、及び暗証番号欄３３ｅを有している。個人情報入力欄３３Ａは、少なくとも電話番号欄３３ｃがあればよく、その他の記構成は適宜使用形態に合わせて、追加、変更、削除できる。例えば、電話番号欄３３ｃのみの構成としたり、上記構成に会員番号（ＩＤ番号）、国籍等を入力可能としてもよい。
【００８２】
指静脈登録欄３３Ｂは、登録する指を指定する登録指指定欄３３ｆ、スクロールキー３３ｆ１、指静脈の読み取り開始を指示する指登録キー３３ｇ、及び登録指指定欄３３ｆで指定された指の登録／未登録状態を表示する状態キー３３ｈを有している。
【００８３】
登録指指定欄３３ｆは、登録する指を指定する欄である。登録指指定欄３３ｆは、１本でもよいが、その登録指のけが等により認証が否定されてしまい不具合を回避するために、本実施形態では２本の指静脈の登録を行う構成としている。しかしながら登録指は、１本でも３本以上でもよい。登録指指定欄３３ｆでの指の指定は、スクロールキー３３ｆ１により指定可能な指名を表示し、希望の指を選択できる。
【００８４】
指登録キー３３ｇは、登録指指定欄３３ｆで指定された指静脈の生体情報読取部２１での読取開始を指示するキーである。指登録キー３３ｇへのクリック操作（入力）により図７の案内画面３３Ｄを登録画面３３（図６）の中央に重ねて表示する。
【００８５】
案内画面３３Ｄは、案内部３３ｎ、画像表示部３３ｏ、読み取り回数指示部３３ｐ、及び、キャンセルキー３３ｑを有している。案内部３３ｎは、生体情報読取部２１に対する指の置き方を写真等で示す欄である。
【００８６】
画像表示部３３ｏは、生体情報読取部２１で読取られた静脈画像を表示する欄である。画像表示部３３ｏには、画像処理部２５で生成されたテンプレートを表示してもよい。
【００８７】
読み取り回数指示部３３ｐは、読み取り回数を示す欄である。登録指の読み取り回数は１回でもよいが、本実施形態では確実な登録用テンプレートの生成を可能とするために、複数回、例えば、３回の読み取りを行う。最初の登録指の読み取りが終了すると音声で読み取り終了を知らせると共に、いったん生体情報読取部２１から登録指を放し、再度、生体情報読取部２１に登録指にさらすことで２回の読み取りを行い、更に、同様に３回目の読み取りを行う。１回の登録指の読み取り終了毎に、読み取り回数指示部３３ｐの読み取り終了回数に対応する数字欄の色や濃淡等を変更することで、登録者に現在の読み取り回数を示す。
【００８８】
キャンセルキー３３ｑは、読み取り処理を中断するためのキーであり、係るキーのクリックにより登録画面３３の表示に戻る。
【００８９】
生体情報読取部２１での登録指の読み取りができない場合や、３回の登録指の読み取りが終了したが登録指の静脈の登録用テンプレートが生成できない場合等の場合には、再度の読み取りを指示する。
【００９０】
３回の登録指の読み取りが終了し、登録指の静脈の登録用テンプレートが生成されると図７の案内画面３３Ｄは消え、図６の表示に戻り、状態キー３３ｈが図８に示すように「未登録」表示から「登録表示」に換わる。
【００９１】
指示入力キー欄３３Ｃは、新規登録指示欄３３ｉ、登録削除指示欄３３ｊ、最終登録指示欄３３ｋ、認証テスト欄３３ｌ、及び登録終了欄３３ｍを有している。
【００９２】
新規登録指示欄３３ｉは、登録画面３３の表示を新規登録者の入力待ち状態とする欄である。すなわち、新規登録指示欄３３ｉがクリックされると、個人情報入力欄３３Ａの各欄が空白となり、指静脈登録欄３３Ｂの全ての状態キー３３ｈの表示が「未登録」となる。
【００９３】
登録削除指示欄３３ｊは、データ記録処理装置５から登録データの削除を指示する欄である。例えば、氏名欄３３ａに削除を希望する氏名を入力した後に登録削除指示欄３３ｊをクリックすることで、データ記録処理装置５から削除希望者の登録データの削除処理に移行する。
【００９４】
最終登録指示欄３３ｋは、個人情報入力欄３３Ａに入力されたデータと、生成された登録指静脈の登録用テンプレートとをデータ記録処理装置５に登録するための欄である。
【００９５】
認証テスト欄３３ｌは、指登録キー３３ｇのクリックにより形成された登録用テンプレートを用いて実際に登録指が認証できるか否かのテストを実行するためのキーである。認証テスト欄３３ｌをクリックすることで、図９に示す認証の案内画面を表示し、案内画面に沿って生体情報読取部２１に登録指の読み取りが実行され、テスト用テンプレートが生成される。テスト用テンプレートは、後述する照合処理部２９により登録用テンプレートと照合が実行され、照合結果が表示される。図１０は、登録用テンプレートとテスト用テンプレートが後述する所定規則に基づき照合された場合の照合結果を示している。
【００９６】
登録終了欄３３ｍは、登録画面３３を閉じるための欄である。最終的にテンプレートの登録時にクリックされるキーである。
【００９７】
尚、登録画面３３、案内画面３３Ｄ、図９に示す認証テストの案内画面、図１０の認証結果の表示等は係る構成に限定するものではなく、適宜、追加、変更、削除できる。
【００９８】
（登録用電話番号入力例）
図１１（ａ）〜（ｄ）は、電話番号欄３３ｃ（図６）に入力する電話番号（登録用電話番号）の入力例を示している。登録用電話番号には、国番号、市外局番、市内局番、加入者番号を含めることができ、いずれの上位番号（国番号側を上位、加入者番号側を下位）までを登録用電話番号に含めるかは予測される登録者数、認証規模（システム規模）登録者の利便性等に応じて決定できる。
【００９９】
登録用電話番号の桁数を多くした場合、認証時に使用する認証用電話番号も多くの桁数を使用でき、検索桁数が多い分、検索により絞り込まれる（一致する）登録用電話番号は少なくなり、照合すべき生体画像数（登録用テンプレート数）も絞り込まれて少なくなる。そのため、照合（認証）時間を短くすることができる。
【０１００】
例えば、利用者本人が国番号を知っている又は個人情報から自動的に国番号がわかる場合には、国番号の入力を可能としたり、自動的に市外局番の上位側に国番号を付与して登録することで（図１１（ａ））、登録者又は認証規模が国際的な大きなデータベースでも効率的に生体認証を行うことができる。例えば、入出国許可、通行許可等の認証をパスポート無しに迅速に行うことができる。
【０１０１】
電話番号は、通常、連絡先を特定するために必要とされるものであり、例えば、市外局番〜加入者番号や市内局番〜加入者番号となり、認証規模に応じて適宜決定できるが、照合（認証）時間の短縮を考慮すると、市外局番〜加入者番号を登録用電話番号とする方が望ましい（図１１（ｂ）、（ｃ））。
【０１０２】
また、登録用電話番号は検索キーとして利用されることから、連絡先を特定する必要のない場合には、市外局番や市内局番を付ける必要もなく、加入者番号のみの電話番号の登録としてもよい（図１１（ｄ））。例えば、高齢者など利用者が覚えている範囲、例えば、市内局番〜加入者番号、加入者番号のみを登録することで、高齢者等の利便性を高めることができる。
【０１０３】
（認証画面３５）
図８は、被認証者の静脈認証の希望時に入力部１７に表示する認証画面３５の一例を示している。認証画面３５は、電話番号入力欄３５ａ、決定キー３５ｂ、及び、取消キー３５ｃを有している。
【０１０４】
電話番号入力欄３５ａは、被認証者の電話番号（認証用電話番号）を入力する欄である。電話番号の入力例は、後述する。
【０１０５】
決定キー３５ｂは、電話番号入力欄３５ａへの入力終了を指示するキーであり、係る決定キー３５ｂの入力により図１３の静脈読取の案内画面３５Ｂを表示する。
【０１０６】
案内画面３５Ｂは、生体情報読取部２１に対する指の置き方を写真等で示す。そして、被認証者が生体情報読取部２１に指をかざすことで静脈の読み取り、認証用テンプレートの生成、及び認証処理の実行が開始される。認証処理の結果、「受理」の場合にはオンライン処理に以降し、認証結果の場合には図示しない「否定」の表示と、再度の指読取指示を示す表示画面を表示できる。
【０１０７】
取消キー３５ｃは、電話番号入力欄３５ａに入力した電話番号を訂正、削除するキーである。尚、認証画面３５、３５Ｂは上記構成に限定するものではなく、適宜、変更可能である。
【０１０８】
（認証用電話番号入力例）
図１４は、図１３の電話番号入力欄３５ａへの認証用電話番号の入力例を示している。以下、登録用電話番号として図１１（ｂ）に示す「０１２３４５６７８９」を入力した場合の認証用電話番号の入力例について説明する。
【０１０９】
認証用電話番号の入力方法としては、登録電話番号を全桁入力する完全一致（図１４（ａ））と、一部の桁だけ入力する部分一致の入力方法を使用できる（図１４（ｂ）〜（ｆ））。
【０１１０】
部分一致入力（例えば、「２３４５６７８」）も、単に登録電話番号の一部を構成する番号のみを入力する場合（「２３４５６７８」、図１４（ｂ））と、認証用電話番号が登録電話番号中の一部を構成する電話番号の場合に、認証用電話番号の登録電話番号中での相対位置を、例えば、不特定マーク「＊」で示す場合を使用できる。
【０１１１】
不特定マーク「＊」を使用する場合には、例えば、登録電話番号の下位側の所定桁のみ入力する後方一致（例えば、「＊６７８９」：図１４（ｄ））、登録電話番号の上位側の所定桁のみ入力する前方一致（例えば、「０１２３４５６７８＊」：図１４（ｅ））、登録用電話番号の中間の所定桁のみ入力する中間一致（例えば、「＊２３４５６７８＊」：図１４（ｃ））の入力方法を可能としている。不特定マーク「＊」を使用する構成によれば、不特定マーク「＊」により認証用電話番号の登録用電話番号中での相対位置情報が検索情報に追加されるために、不特定マーク「＊」を使用しない場合に比べて検出する登録電話番号をより絞込むことができる。
【０１１２】
前記後方一致、前方一致、中間一致の入力方法は、不特定マーク「＊」を用いて認証用電話番号の登録用電話番号中での相対位置情報を示したが、不特定マーク「＊」を不明桁全てに１対１で入力し、例えば、図１４（ｂ）の入力を「＊＊２３４５６７８＊」としてもよい（図１４（ｆ））。係る構成により、更に登録用電話番号をより絞込むことができる。
【０１１３】
認証画面３５の決定キー３５ｂに、既存のキーボードのキー、例えば、「＃」キー等を代用してもよい。
【０１１４】
（データ記録処理装置５）
データ記録処理装置５（５ａ，５ｂ：図１）は、各処理端末２ａ〜２ｆの認証端末装置３ａで生体認証画像の登録時に読取られた登録用テンプレートと、登録画面３３で入力された登録データ等（個人情報（登録用電話番号を含む）、プリペイド金額、ポイント数等）を関連付けて格納、管理する。
【０１１５】
データ記録処理装置５は、複数の処理端末２ａ〜２ｆの認証端末装置３ａのデータを１元管理する共用装置５ａや、各処理端末２ａ〜２ｆの各認証端末装置３ａ毎に専用に管理する専用装置５ｂとして構成できる。図１では、共用装置５ａは代金立替会社９に設けられ、専用装置５ｂは各処理端末専用の認証用サーバ５Ｂに設ける場合を示している。
【０１１６】
共用装置５ａを用いる場合には、利用者は１回の生体情報の登録処理により複数の処理端末２ａ〜２ｆで複数種類の認証処理を請求できるため、利用者にとって利便性の高いカードレスの認証システムを構築できる。特に、図１に示すように代金立替会社９が共用装置５ａを一元管理する場合には、利用者は１回の生体認証の登録処理により、認証機会の多いオンライン決済サービス、対面決済サービス、プリペイド決済サービス等を効率的に受けることができ、利用者にとって利便性が高い。
【０１１７】
複数の生体認証を要するサービスの提供を受ける場合、例えば、オンライン決済サービスとそれのポイントサービスの提供を受ける場合に、各サービス毎に登録されたデータ記録処理装置５が異なる場合には、１回の認証で別々のデータ記録処理装置５との間で認証処理が行われる。
【０１１８】
図１５は、データ記録処理装置５のブロック図を示している。データ記録処理装置５は、制御部３７、ＲＯＭ３９、ＲＡＭ４１、データベース４３、検索処理部４５、及び通信処理部４９を有している。
【０１１９】
制御部３７は、データ記録処理装置５内の前記各部を電気的に有機的に制御する。ＲＯＭ３９は、生体情報の登録処理及び照合処理等に用いるプログラムを記録している。ＲＡＭ４１は、前記生体情報の登録処理及び照合処理の実行時にＲＯＭ３９内の対応するプログラムを読み出し格納し、制御部３７のワークエリアとして機能する。尚、プログラムの記録、実行はＲＯＭ３９、ＲＡＭ４１に限定するものではなく、ハードディスク等を用いてもよい。
【０１２０】
データベース４３は、図１６に示すように、検索キー格納部４３ａと、テンプレート格納部４３ｂと、個人情報格納部４３ｃとを有する。
【０１２１】
検索キー格納部４３ａは、個人情報入力欄３３Ａ（図６）の電話番号欄３３ｃに入力された登録用電話番号を格納する。
【０１２２】
テンプレート格納部４３ｂは、登録画面３３への入力時に、生体情報読取部２１での読み取り、画像処理部２５（図３）での画像処理された静脈の形状やパターン（登録用テンプレート）を格納する。
【０１２３】
個人情報格納部４３ｃは、個人情報入力欄３３Ａ（図６）に入力された情報中の電話番号以外の個人情報、プリペイド金額、ポイント数等を格納する。
【０１２４】
データベース４３内では、検索キー格納部４３ａ、テンプレート格納部４３ｂ、及び個人情報格納部４３ｃ間で、同一登録者のものが関連付けて格納されている。尚、データベース４３は、検索キー格納部４３ａ、テンプレート格納部４３ｂ、個人情報格納部４３ｃに別けなくてもよい。
【０１２５】
検索処理部４５（図１５）は、生体情報の認証時に認証用電話番号と完全に一致する登録用電話番号、及び／又は、認証用電話番号を一部に含む登録用電話番号を検索キー格納部４５ａから１以上（１又は複数）検出する処理部である。
【０１２６】
通信処理部４９は、認証通信ネットワーク１と接続され、生体認証の登録時と認証時に認証端末装置３ａ、金融機関７、オンライン店舗９等との間でデータの送受信を行う。
【０１２７】
（登録手続処理）
次に、認証用生体情報の登録手続き処理を図１７のフローチャートを参照しつつ説明する。説明の便宜上、オンライン処理端末２ａを用いる場合を例に説明する。
【０１２８】
始めに、ユーザが登録手続きを希望する場合には、登録者自身又は各端末のサービス提供者（以下、「登録者等」と略記する）により入力部１９（図２、３）の操作により登録プログラムがＲＯＭ１３からＲＡＭ１５に読み出され、制御部１１により実行され、表示部１７に登録画面３３（図６）が表示さる（ステップＳ１）。尚、予め、登録プログラムを実行し、入力部１９の操作無しに表示部１７に登録画面３３を表示しておき、電話番号を含めた個人情報の入力と静脈の読み取り待ち状態としてもよい。
【０１２９】
登録者等により検索キーとして登録者の電話番号（登録用電話番号）を含めた個人情報入力欄３３Ａの入力が行なわれ（ステップＳ２）、且つ、登録者が登録指指定欄３３ｆで指定した指を生体情報読取部２１にかざすことで静脈の読み取りが実行される（ステップＳ３）。尚、ステップＳ２，Ｓ３の順番は逆でもよい。
【０１３０】
ステップＳ３の静脈の読み取りの実行では、生体情読取部２１（図２、３）が指に近赤外光をあて、静脈画像を補足し、それを画像処理部２５（図３）が画像処理することで登録用テンプレートを生成する。
【０１３１】
電話番号を含めた個人情報入力欄３３Ａ（図６）の入力と静脈読取が完了すると、登録者等の最終登録指示欄３３ｋ（図６）へのクリック操作により、登録用制御情報と共に、登録用制御情報、個人情報、及び登録用テンプレートが、通信処理部２７（図３）と通信ネットワーク１を介してデータ記録処理装置５（図１、１５）に送信する（ステップＳ４）。
【０１３２】
データ記録処理装置５（図１５）は、受信した登録用電話番号をデータベース４３の検索キー格納部４３ａに、登録用テンプレートをテンプレート格納部４３ｂに、電話番号以外の個人情報等を個人情報格納部４３ｃに、互いに関連付けられて格納する（ステップＳ５）。
【０１３３】
データ記録処理装置５は、データベース４３への登録用電話番号、登録用テンプレート、及び個人情報の登録が完了すると、登録完了通知を登録処理命令を送信してきたオンライン処理端末２ａ（図１）に返信する（ステップＳ６）。
【０１３４】
データ記録処理装置５から登録完了通知を受信したオンライン処理端末２ａは、表示部１７（図２、３）に図示しない登録完了の表示を行い（ステップＳ７）、登録処理を終了する。尚、登録処理の何れかにエラーが発生した場合には、表示部１７にその旨伝えると共に、エラー克服方法を表示部１７に表示できる。
【０１３５】
（認証手続処理）
次に、認証手続処理を図１８のフローチャートを参照しつつ説明する。説明の便宜上、オンライン処理端末２ａを用いる場合を例に説明する。
【０１３６】
始めに、被認証者（ユーザ）が認証手続きを希望する場合に、被認証者自身又は各端末のサービス提供者（以下、「被認証者等」という）が入力部１９（図２、３）の操作により、制御部１１はＲＯＭ１３からＲＡＭ１５に認証プログラムを読み出し実行し、認証画面３５（図１２）を表示部１７（図２、３）に表示する（ステップＳ１０）尚、予め、認証プログラムを実行し、入力部１９の操作無しに表示部１７に認証画面３５を表示してもよい。
【０１３７】
次に、認証画面３５の電話番号入力欄３５ａに、被認証者等により電話番号が入力され、決定キー３５ｂにより認証用電話番号の入力が決定されると（ステップＳ１１）、図１３の静脈読取の案内画面３５Ｂを表示する。
【０１３８】
被認証者が登録指指定欄３３ｆで指定した登録指を生体情報読取部２１（図２、３）に読み取り可能にかざすことでその部位の静脈の読み取りが実行される（ステップＳ１２）。尚、ステップＳ１１，Ｓ１２の順番は逆でもよい。
【０１３９】
登録指指定欄３３ｆ（図６）で指定した指の静脈の読取実行は、生体情報読取部２１（図２、３）が指に近赤外光をあて、その部位の静脈画像を獲得し、それを画像処理部２５が画像処理することで認証用テンプレートを生成する。認証用テンプレートの抽出完了は、音声、表示等でユーザに知らされてもよい。尚、認証用テンプレート作成にあたり、複数回の読み取りを実行してもよい。
【０１４０】
また、電話番号入力欄３５ａ（図１２）への認証用電話番号の入力後に決定キー３５ｂがクリックされると、その入力された認証用電話番号が認証処理の制御情報と共に、通信処理部２７（図３）、及び通信ネットワーク１を介してデータ記録処理装置５（図１、１０）に送信される（ステップＳ１３）。
【０１４１】
尚、認証用電話番号のデータ記録処理装置５への送信（ステップＳ１３）は、認証用電話番号の入力（ステップＳ１１）の後に行われればよい。すなわち、認証用電話番号の入力（ステップＳ１１）を静脈の読取実行（ステップＳ１２）より前に行う場合には、認証用電話番号のデータ記録処理装置５への送信は、静脈の読取実行（ステップＳ１２）の前、ステップＳ１２と並行して、又は、ステップＳ１２の終了後のいずれの機会に行ってもよい。尚、認証用電話番号の入力（ステップＳ１１）を静脈の読取実行（ステップＳ１２）より後に行う場合には、認証用電話番号のデータ記録処理装置５への送信（ステップＳ１３）は、静脈の読取実行（ステップＳ１２）と認証用電話番号の入力（ステップＳ１１）の後となる。
【０１４２】
データ記録処理装置５では、受信した認証用電話番号を検索処理部４５（図１５）に格納する。
【０１４３】
検索処理部４５では、受信した認証用電話番号と完全一致又はその認証用電話番号を１部に含む、１以上（１又は複数）の登録用電話番号を検索キー格納部４３ａから検出し（ステップＳ１４）、検出された１以上（１又は複数）の登録用電話番号に関連付けられた全ての登録用テンプレート（検出登録用テンプレート）をテンプレート格納部４３ｂより検出する（ステップＳ１５）。
【０１４４】
次に、データ記録処理装置５は、検出された１以上（１又は複数）の登録用テンプレート（以下、「検出登録用テンプレート」という）を、受信した認証処理の制御情報に基づいて、該制御情報を送信したオンライン処理端末２ａ（図３）に送信する（ステップＳ１６）。尚、オンライン処理端末２ａに送信する検出登録用テンプレートには、処理目的に応じて対応する個人情報を添付しても、添付しなくてもよい。個人情報をテンプレートと共に送信しない場合には、必要に応じて照合されたテンプレートの個人情報をオンライン処理端末２ａに送信できる。
【０１４５】
オンライン処理端末２ａが受信した検出登録用テンプレートは、照合処理部２９（図３）に送信される。照合処理部２９は、受信した検出登録用テンプレートと認証用テンプレートとを画像処理による照合を実施し、所定の照合判断基準（所定領域の所定閾値以上の一致或いは所定領域の完全一致、又は、特徴部位の所定閾値以上の一致或いは完全一致等）に基づき、照合の一致／不一致判断を行う（ステップＳ１７：図１３）。照合結果が一致の場合は認証を受理し、照合結果が不一致の場合には認証を否定する。
【０１４６】
オンライン処理端末２ａは、認証の受理を条件にメイン機能処理部３１（図３）の決裁処理、情報検索処理、情報開示処理等の実行に移行する（ステップＳ１８：図１３）。例えば、オンライン店舗９（図１）での購入情報や個人情報格納部４３ｃ（図１１）に格納された個人情報等に基づき、オンライン決済処理の実行に移る。認証が否定の場合には、オンライン処理（決裁処理、情報検索処理、情報開示処理等）の実行を拒絶し、再度の認証の実行、再度の登録処理等を案内してもよい。
【０１４７】
前記オンライン決済処理の金額等に付帯した他の生体認証サービス、例えば、ポイント処理サービスを受ける場合に、オンライン決済処理と共通のデータ記録処理装置５ａを用いる場合には再度の認証は行うことなくポイント処理に進むことができる。一方、前記オンライン決済処理の金額等に付帯した他の生体認証サービス、例えば、ポイント処理サービスを受ける場合に、オンライン決済処理と別個のデータ記録処理装置５ｂを用いる場合には、既に、被認証者の電話番号と認証用テンプレートは獲得されているため（ステップＳ１１，Ｓ１２）、データ記録処理装置５ｂとの間でステップＳ１３〜Ｓ１７が実行され、ポイント処理の実行等がなされる。
【０１４８】
上記説明では、オンライン処理端末２ａとしてパーソナルコンピュータ（携帯端末を含む、図２、４、５）を説明したが、それに限定するものではなく、通信ネットワーク１を介したオンライン商業店舗９での商品購入や公共団体ホームページ９Ｂでサービスの提供を受けうる処理装置であればよく、例えば、携帯電話（図１４）、テレビ（図１５）等により構成できる。図１５では、テレビのリモートコントローラＲに生体情報読取部２１を組み込んだものを示している。
【０１４９】
表示部１７や入力部１９は、各処理端末２ａ〜２ｆの使用形態に合わせて種々の形態のものを用いることができる。例えば、上記説明では、登録時と認証時で表示部１７と入力部１９を共通に用いる場合を説明したが、登録時と認証時で用いる表示部１７や入力部１９を別個の構成としてもよい。
【０１５０】
また、表示部１７や入力部１９には既存の装置を利用してもよい。例えば、発券機や電話機等で用いる番号キー及び／又は表示画面を表示部１７や入力部１９として共用することができる。また、表示部１７や入力部１９としては、図２１に示すような表示部１７、入力部１９、及び／又は、生体情報読取部２１を備えた専用器を用いることもできる。
【０１５１】
（効果）
以上説明した構成により、被認証者は各処理端末２ａ〜２ｆでの認証時には電話番号の入力を行い、生体情報読取部２１に生体情報を読み取らせるために所定部位を生体情報読取部２１にかざすだけで認証を受けることができ、カードレスでの認証を実現できる。
【０１５２】
認証用テンプレートとの照合を行うべき登録用テンプレートを、データ記録処理装置５に格納された複数の登録用テンプレート（Ｍ個）から、被認証者の認証用電話番号を検索キーとして使用して１以上（１又は複数）の検出登録用テンプレート（Ｎ個、Ｎ＜Ｍ、Ｎは１以上の整数）に絞り込むため、データ記録処理装置５に記録された全ての登録用テンプレート（Ｍ個）と認証用テンプレートとの照合を行う場合に比べて、認証時間を格段に短縮できる。
【０１５３】
特に、電話番号は、比較的長い番号でありながらメモを取るまでもなく暗記されており、且つ、重複する電話番号（国番号を除く）を有する者は同一家族や外国人等と少ないために、検索キーとして有効な番号である。従って、地球規模で不特定多数の利用者の登録用プレートがデータ記録処理装置５に登録された場合でも、電話番号を検索キーとして用いることで、認証時に照合すべき登録用テンプレートの絞込みを十分に掛けられ、迅速な照合、認証処理を簡単な装置で実現できる。また、電話番号は高齢者でも容易に利用できる複数桁の番号であり、検索キーとして利便性の高い番号である。
【０１５４】
また、認証時に入力する認証用電話番号は、あくまで検索利用を目的とするために、登録用電話番号と完全に一致するもののみを受け付けるのではなく、登録用電話番号を構成する連続する一部分を構成する電話番号でも受け付けられ、例えば、市外局番が不明な場合でも認証を行えるため、入力時のユーザの負担を軽減できる。
【０１５５】
また、登録時の電話番号の最上位に、自動的に国番号を付与して登録用電話番号をテンプレート格納部４３ｂに格納することで、空港等での認証も国番号を含めた検索が可能となり、登録者数が多い場合でも短時間で認証を実行できる。
【０１５６】
また、複数の処理端末２ａ〜２ｆの複数の認証端末装置３ａが、１元管理された共通の１つのデータ記録処理装置５（共用装置５ａ）を用いて認証処理を行うことで、利用者は１回の登録処理により複数の処理端末２ａ〜２ｆで複数種類の認証処理を受けることができるため、利用者にとって利便性の高いカードレスの認証システムを構築できる。特に、代金立替会社５Ａ内が一元管理する共用装置５ａを用いる場合には、利用者は１回の登録処理により、認証機会の多い対面及び非対面決済サービス、プリペイド決済サービス等を効率的に受けることができ、利用者にとって利便性の高いカードレスの認証システムを構築できる。
【０１５７】
また、データ記録処理装置５（図１）に登録された登録用テンプレートの登録数が多い場合でも、処理負担の大きい検出登録用テンプレートと認証用テンプレートとの照合処理を各処理端末２ａ〜２ｆ側で行うことで、照合処理負担のデータ記録処理装置５への集中を避けることができ、単位時間当たりの認証件数が増えた場合でも、認証処理のオーバーフローによるシステムダウンを回避でき、信頼性の高いカードレスの認証システムを提供できる。
【０１５８】
特に、オンライン処理装置２ａは、場所と時間に関してボーダレスでの利用が可能なために、単位時間当たりの被認証者数が極端に増える場合もある。照合処理をオンライン処理装置２ａで行うことで、その認証ニーズの多い場合でもシステムダウンを回避でき、安定なオンライン処理を提供できる。
【０１５９】
尚、上記第１の実施の形態では、照合処理部２９を認証端末装置３ａに設けたが、本願発明はそれに限定するものではなく、照合処理部２９をデータ記録処理装置５に設ける構成としてもよい。以下、第２に実施形態として、照合処理部２９をデータ記録処理装置５に設ける構成について説明する。
【０１６０】
［第２の実施形態］
本発明の第２の実施形態に係る生体情報を用いた認証端末装置３ｂを利用する認証処理システムＢについて図２２〜図２５を参照しつつ説明する。尚、第２の実施形態において、前記第１の実施の形態と同一構成には同一符号を示し、その説明を省略する。
【０１６１】
図２２は認証処理システムＢの概略構成図を示しており、図２３は本発明の第２の実施形態に係る認証端末装置３ｂのブロック図を示しており、図２４は本発明の第２の実施形態に係るデータ記録処理装置５ｃのブロック図を示しており、図２５は本発明の第２の実施形態に係る認証手続処理のフローチャートを示している。
【０１６２】
前記第１の実施の形態との相違点は、図２３に示すように認証端末装置３ｂには照合処理部を設けず、図２４に示すように照合処理部２９をデータ記録処理装置５ｃに設けた点にある。そのため、本第２の実施形態に係る認証手続処理では、図２５に示すように、データ記録処理装置５ｃには認証用電話番号に加えて認証用テンプレートも送信される（ステップＳ１３ｂ）。
【０１６３】
データ記録処理装置５ｃ（図２４）の検索処理部４５では、認証用電話番号を含む１以上（１又は複数）の登録用電話番号を検索キー格納部４３ａから検出し（ステップＳ１４：図２５）、検出登録用電話番号に関連付けられた全ての登録用テンプレートをテンプレート格納部４３ｂより検出する（ステップＳ１５）。
【０１６４】
照合処理部２９（図２４）は、認証用テンプレートと検索処理部４５で検出された検出登録用テンプレートを画像処理による照合を実施し、所定の一致判断基準（所定領域の所定閾値以上の一致や所定領域の完全一致、或いは、特徴部位の所定閾値以上の一致や特徴部位の完全一致等）に基づき、照合の一致／不一致判断を行う（ステップＳ１７）。
【０１６５】
データ記録処理装置５ｃは、照合処理部２９の照合判断の結果に基づき、認証結果（受理／否定または判断結果）を認証制御情報を送信した認証端末装置３ｂに返信する（ステップＳ１７ｂ）。
【０１６６】
データ記録処理装置５ｃから認証結果を受信した認証端末装置３ｂ（図１８）は、認証の受理を条件にメイン機能処理部３１の実行に移る（ステップＳ１８）。認証の不受理の場合には、メイン機能処理部３１の実行を拒絶し、再度の認証の実行、登録処理等、処理端末２ａ〜２ｆに固有の処理に以降する。
【０１６７】
本実施形態の構成によれば、登録用テンプレートと認証用テンプレートとの照合を行う照合処理部２９（図２４）をデータ記録処理装置５ｃに設けることで認証端末装置３ｂをコンパクトな構成とでき、認証端末装置３ｂを多くの端末装置２ａ〜２ｆに適用できる。例えば、コンパクトな構成が望まれる携帯端末や携帯電話（図１４）にもコンパクトな構成を維持したまま認証端末装置３ｂを組み込むことができる。従って、利用者には多くの機会にカードレス認証を提供でき、利便性の高いカードレスの認証システムを構築できる。
【０１６８】
尚、前記第１、第２の実施形態に係るデータ記録処理装置５ａ〜５ｃは、通信ネットワーク１を介して処理端末２ａ〜２ｆに接続されているが、処理端末２ａ〜２ｆとの接続関係はこれに限定するものではなく、例えば、データ記録処理装置を認証端末装置や処理端末２ａ〜２ｆ内に設けたり、認証端末装置３ａ，３ｂと専用回線、例えば、ＬＡＮ（local area network）やＷＡＮ（wide area network：広域通信網）で接続する構成でもよい。以下、第３に実施形態として、データ記録処理装置を認証端末装置に設ける構成について説明する。
【０１６９】
［第３の実施形態］
本発明の第３の実施形態に係る生体情報を用いた認証端末装置３ｃを利用する認証処理システムＣについて図２６〜図２９を参照しつつ説明する。尚、第３の実施形態において、前記第１、第２の実施の形態と同一構成には同一符号を示し、その説明を省略する。
【０１７０】
図２６は認証処理システムＣの概略構成図を示しており、図２７は認証端末装置３ｃのブロック図を示し、図２８は本発明実施形態に係る登録手続処理のフローチャートを示し、図２９は本発明実施形態に係る認証手続処理のフローチャートを示している。
【０１７１】
前記第１、第２の実施の形態との相違点は、図２７に示すようにデータベース４３と検索処理部４５が認証端末装置３ｃに設けられ、認証端末装置３ｃが登録用テンプレートの絞り込み処理をも行う点にある。そのため、登録処理では図２８に示すように図１７のステップＳ４，Ｓ６は無く、認証処理では図２９に示すように図１８のステップＳ１３、Ｓ１６は無い。
【０１７２】
本第３の実施形態の構成によれば、認証時の認証用電話番号、登録用テンプレート、認証用テンプレートの通信ネットワーク１を介した送受信を行わないために、そのぶん認証時間を短縮でき、且つ、コンパクトな構成とでき、コストダウンを図ることができる。
【０１７３】
尚、第１〜第３の実施形態では、認証時には、登録用テンプレートの検索キー、すなわち、認証用電話番号の入力と、生体情報の読み取り処理を行うことを説明したが、セキュリティを確保するために、図６に示すように登録画面３３に暗証番号欄３３ｅを設け、登録時に暗証番号や暗証記号等の入力を求め、認証画面３５（図１２）で暗証番号や暗証記号等の入力を必要とする構成としてもよい。例えば、認証用電話番号にて検出された検出登録用テンプレートと認証用テンプレートとの照合前又は照合後に、登録された暗証番号等と認証時に入力された暗証番号等の照合を行い、暗証番号等の一致を認証を受理する条件に加えることで、セキュリティを高められる。尚、上記暗証番号等の照合を登録用テンプレートと認証用テンプレートとの照合前に行うことで、絞り込み効果も期待でき、認証時間も短縮できる。
【図面の簡単な説明】
【０１７４】
【図１】本発明の第１の実施形態に係る生体情報を用いた認証端末装置を利用する認証処理システムＡの概略構成図である。
【図２】本発明の第１の実施形態に係るオンライン処理端末２ａとしてのパーソナルコンピュータの外観図である。
【図３】本発明の第１の実施形態に係る認証端末装置３のブロック図である。
【図４】本発明の第１の実施形態に係るオンライン処理端末２ａとしての他のパーソナルコンピュータの外観図である。
【図５】本発明の第１の実施形態に係るオンライン処理端末２ａとしての他のパーソナルコンピュータの外観図である。
【図６】本発明の第１の実施形態に係る登録画面３３の説明図である。
【図７】本発明の第１の実施形態に係る案内画面３３Ｄの説明図である。
【図８】前記登録画面３３の状態キー３３ｈの説明図である。
【図９】本発明の第１の実施形態に係る登録時の認証テストで表示する登録指の読取案内画面である。
【図１０】本発明の第１の実施形態に係る登録時の認証テストの結果画面である。
【図１１】本発明の第１の実施形態に係る登録用電話番号の入力例の説明図である。
【図１２】本発明の第１の実施形態に係る認証画面３５の説明図である。
【図１３】本発明の第１の実施形態に係る認証時の登録指の読取案内画面である。
【図１４】本発明の第１の実施形態に係る認証用電話番号の入力例の説明図である。
【図１５】本発明の第１の実施形態に係るデータ記録処理装置５のブロック図である。
【図１６】本発明の第１の実施形態に係るデータベース４３のブロック図である。
【図１７】本発明の第１の実施形態に係る登録手続処理のフローチャートである。
【図１８】本発明の第１の実施形態に係る認証手続処理のフローチャートである。
【図１９】本発明の第１の実施形態に係るオンライン処理端末２ａとしての携帯電話の正面図である。
【図２０】本発明の第１の実施形態に係るオンライン処理端末２ａとしてのテレビの外観図である。
【図２１】本発明の第１の実施形態に係る認証端末装置３の表示部１７、入力部１９、及び、生体情報読取部２１を備えた専用器の正面図である。
【図２２】本発明の第２の実施形態に係る生体情報を用いた認証端末装置３ｂを利用する認証処理システムＢの概略構成図である。
【図２３】本発明の第２の実施形態に係る認証端末装置３ｂのブロック図である。
【図２４】本発明の第２の実施形態に係るデータ記録処理装置５ｃのブロック図である。
【図２５】本発明の第２の実施形態に係る認証処理のフローチャートである。
【図２６】本発明の第３の実施形態に係る生体情報を用いた認証端末装置３ｃを利用する認証処理システムＣの概略構成図である。
【図２７】本発明の第３の実施形態に係る認証端末装置３ｃのブロック図である。
【図２８】本発明の第３の実施形態に係る登録処理のフローチャートである。
【図２９】本発明の第３の実施形態に係る認証処理のフローチャートである。
【符号の説明】
【０１７５】
Ａ，Ｂ，Ｃ  認証処理システム
３ａ〜３ｃ  認証端末装置
５ａ〜５ｃ  データ記録処理装置
１３、３９  ＲＯＭ
１９  入力部
２１  生体情報読取部
２５  画像処理部
２９  照合処理部
４３  データベース
４３ａ  検索キー格納部
４３ｂ  テンプレート格納部
４５  検索処理部
【図１】
2008217257.tif 000003
【図２】
2008217257.tif 000004
【図３】
2008217257.tif 000005
【図４】
2008217257.tif 000006
【図５】
2008217257.tif 000007
【図６】
2008217257.tif 000008
【図７】
2008217257.tif 000009
【図８】
2008217257.tif 000010
【図９】
2008217257.tif 000011
【図１０】
2008217257.tif 000012
【図１１】
2008217257.tif 000013
【図１２】
2008217257.tif 000014
【図１３】
2008217257.tif 000015
【図１４】
2008217257.tif 000016
【図１５】
2008217257.tif 000017
【図１６】
2008217257.tif 000018
【図１７】
2008217257.tif 000019
【図１８】
2008217257.tif 000020
【図１９】
2008217257.tif 000021
【図２０】
2008217257.tif 000022
【図２１】
2008217257.tif 000023
【図２２】
2008217257.tif 000024
【図２３】
2008217257.tif 000025
【図２４】
2008217257.tif 000026
【図２５】
2008217257.tif 000027
【図２６】
2008217257.tif 000028
【図２７】
2008217257.tif 000029
【図２８】
2008217257.tif 000030
【図２９】
2008217257.tif 000031